(57)【特許請求の範囲】
【請求項１】
第一ガイドレールに吊り下げられて内側移動経路を横動する第一の戸と、前記第一ガイドレールと平行な第二ガイドレールに係合する横動体に平行リンク機構を介して吊り下げられて、前記内側移動経路内と当該内側移動経路の外側の外側移動経路内との間を平行移動可能に構成されると共に、バネにより前記内側移動経路側へ付勢された第二の戸と、両戸が前記内側移動経路内で互いに突き合う閉じ状態から相対的に接近移動するとき、第二の戸を前記外側移動経路内へ平行移動させるためのカム手段が設けられている引き違い戸装置であって、前記第一ガイドレールは、第二ガイドレールの外側に、当該第二ガイドレールと第一の戸との間に位置するように一体に連設されている引き違い戸装置であって、 前記第一ガイドレールは、第二ガイドレールとの間の隔壁の外側に形成された上側開放の溝形レール部によって構成され、前記隔壁の上端部が、前記第一ガイドレールの溝形レール部の上方に被さるように外向きに屈曲し、その屈曲端に垂直レール面が形成され、前記第一の戸には、前記第一ガイドレールの溝形レール部に嵌合する水平軸ローラーの近傍位置に、前記垂直レール面に当接する垂直軸ローラーが設けられている、引き違い戸装置。
【請求項２】
前記第二ガイドレールは、下側開放の上側溝形レール部と、当該上側溝形レール部の真下で上側開放の下側溝形レール部とが、後側壁板部で一体に連設されて構成され、前記横動体は、その移動方向の両端部に、前記上下各溝形レール部に嵌合する上下一対の同心垂直軸ローラーと、前記下側溝形レール部に嵌合する水平軸ローラーとが軸支され、前記横動体と戸とを連結する前記平行リンク機構は、前記横動体両端部の垂直軸ローラーの支軸で一端が支承された移動方向一対の水平揺動リンクから構成されている、請求項１に記載の引き違い戸装置。
【請求項３】
前記第二ガイドレールには、その上側溝形レール部の下端レベルで取り付け用張り出し板部が突設されている、請求項２に記載の引き違い戸装置。
【発明の詳細な説明】
【０００１】
【発明の属する技術分野】
本発明は、据え置き用家具や作り付け収納部等の開口部を開閉するのに利用される引き違い戸装置に関するものである。
【０００２】
【従来の技術】
この種の引き違い戸装置として、例えば特許第３０８０３４９号公報に記載されているように、開口部を閉じたときは２枚の戸が互いに突き合って連続一平面を形成し、開口部を開くために２枚の戸の何れか一方を開動させたときは、２枚の戸の一方が他方の戸の外側に平行移動して両戸が互いに内外に重なる状態となる引き違い戸装置が知られている。
【０００３】
この種の引き違い戸装置は、第一ガイドレールに吊り下げられて内側移動経路を横動する第一の戸と、前記第一ガイドレールと平行な第二ガイドレールに係合する横動体に平行リンク機構を介して吊り下げられて、前記内側移動経路内と当該内側移動経路の外側の外側移動経路内との間を平行移動可能に構成されると共に、バネにより前記内側移動経路側へ付勢された第二の戸と、両戸が前記内側移動経路内で互いに突き合う閉じ状態から相対的に接近移動するとき、第二の戸を前記外側移動経路内へ移動させるためのカム手段が設けられたものである。
【０００４】
【発明が解決しようとする課題】
しかして、前記公報に記載された従来の引き違い戸装置は、第一の戸を吊り下げる第一ガイドレールが、第二の戸を吊り下げる第二ガイドレールの下側に一体に連設され、両戸を吊り下げる上側ガイドレールが上下２段構造に構成されていた。従って、この引き違い戸装置で開閉する開口部の上側辺に前記上下２段構造の上側ガイドレールが垂れ下がる状態になり、当該開口部の上側辺の有効高さが低くなって、通行又は物の出し入れを困難にする結果となっていた。
【０００５】
【課題を解決するための手段】
本発明は上記のような従来の問題点を解消し得る引き違い戸装置を提供することを目的とするものであって、その手段を後述する実施形態の参照符号を付して示すと、第一ガイドレール５０に吊り下げられて内側移動経路を横動する第一の戸１と、前記第一ガイドレール５０と平行な第二ガイドレール５１に係合する横動体１０に平行リンク機構９を介して吊り下げられて、前記内側移動経路内と当該内側移動経路の外側の外側移動経路内との間を平行移動可能に構成されると共に、バネ４２により前記内側移動経路側へ付勢された第二の戸２と、両戸１，２が前記内側移動経路内で互いに突き合う閉じ状態から相対的に接近移動するとき、第二の戸２を前記外側移動経路内へ平行移動させるためのカム手段６０が設けられている引き違い戸装置であって、前記第一ガイドレール５０は、第二ガイドレール５１の外側に、当該第二ガイドレール５１と第一の戸１との間に位置するように一体に連設された引き違い戸装置であって、前記第一ガイドレール５０は、第二ガイドレール５１との間の隔壁５１ｃの外側に形成された上側開放の溝形レール部５５によって構成され、前記隔壁５１ｃの上端部が、前記第一ガイドレール５０の溝形レール部５５の上方に被さるように外向きに屈曲し、その屈曲端に垂直レール面５６が形成され、前記第一の戸１には、前記第一ガイドレール５０の溝形レール部５５に嵌合する水平軸ローラー１７の近傍位置に、前記垂直レール面５６に当接する垂直軸ローラー１８が設けられた構成となっている。
【０００６】
上記構成の本発明装置を実施するについて、前記第二ガイドレール５１は、下側開放の上側溝形レール部５２と、当該上側溝形レール部５２の真下で上側開放の下側溝形レール部５３とを、後側壁板部５４で一体に連設して構成し、前記横動体１０は、その移動方向の両端部に、前記上下各溝形レール部５２，５３に嵌合する上下一対の同心垂直軸ローラー３７，３８と、前記下側溝形レール部５３に嵌合する水平軸ローラー３９とが軸支されたものとし、この横動体１０と戸２とを連結する前記平行リンク機構９は、前記横動体１０の両端部の垂直軸ローラー３７，３８の支軸３６で一端が支承された移動方向一対の水平揺動リンク４０、４１から構成することが出来る。
【０００７】
又、前記第二ガイドレール５１には、その上側溝形レール部５２の下端レベルで取り付け用張り出し板部５１ａ，５１ｂを突設し、天板４９に上側溝形レール部５２を埋没させる状態で取り付けられるように構成することが出来る。
【０００９】
【発明の実施の形態】
以下に本発明の好適実施形態を添付図に基づいて説明すると、図１〜図３に於いて、１は第一の戸、２は第二の戸、３は両戸によって開閉される開口部である。第一の戸１には、その上端部内側の戸移動方向両端近傍位置に吊り下げ用ローラーユニット４，５が取り付けられ、下端部内側の戸移動方向中央付近に振れ止め用横動体６が取り付けられている。第二の戸２には、その上端内側に戸移動方向一対の軸受けユニット７，８と平行リンク機構９とを介して横動体１０が取り付けられ、下端部内側の戸移動方向中央付近に軸受けユニット１１とリンク１２とを介して振れ止め用横動体１３が取り付けられている。
【００１０】
第一の戸１の吊り下げ用ローラーユニット４，５は、同一構造のもので、戸１の背面側に当該戸１の上端と面一に埋設されたケーシング１４と、図５に示すように当該ケーシング１４に昇降自在に内嵌された可動体１５と、当該可動体１５の上下位置調整手段１６と、戸１の背面側にローラー全体が突出するように可動体１５に軸支された支持用水平軸ローラー１７と、戸１の上端近傍位置でローラーの一部が戸１の背面側に突出するように可動体１５に軸支された垂直軸ローラー１８とから構成されている。前記上下位置調整手段１６は、可動体１５に上端部が固定された螺軸１９と、当該螺軸１９に螺嵌する回転操作具（ナット）２０とから構成されている。
【００１１】
第一の戸１の振れ止め用横動体６は、一個の鍔付き垂直軸ローラー２５から構成されている。この鍔付き垂直軸ローラー２５の支持手段は、戸１の背面側に当該戸１の下端と面一に埋設されたケーシング２１と、図５に示すように、当該ケーシング２１に昇降自在に内嵌され且つバネ２２により上昇方向に付勢された可動体２３と、当該可動体２３に取り付けられ且つ戸１の下端より下側で内側に水平に延出する軸受け部材２４とから構成され、前記鍔付き垂直軸ローラー２５は、前記軸受け部材２４の先端上側に軸支されている。
【００１２】
第二の戸２の軸受けユニット７，８は、戸２の背面側に当該戸２の上端と面一に埋設されたケーシング２６と、図６に示すように当該ケーシング２６に内嵌された軸受け部材２７に上端が戸２の上端から突出するように昇降自在に支承された垂直軸２８と、当該垂直軸２８の上下位置調整手段２９と、戸２の上端近傍位置で戸２の背面側にローラーの一部が突出するようにケーシング２６に軸支された垂直軸ローラー３０とから構成されている。前記上下位置調整手段２９は、垂直軸２８の下端螺軸部２８ａと、当該螺軸部２８ａに螺嵌する回転操作具（ナット）３１とから構成されている。
【００１３】
第二の戸２の横動体１０は、図４及び図６に示すように、戸移動方向一対のローラーユニット３２，３３と、両ローラーユニット３２，３３を連結する帯状板３４とから成り、各ローラーユニット３２，３３は、軸受け部材３５と、当該軸受け部材３５を貫通する１本の垂直軸３６の上下両端に支承された上下一対の垂直軸ローラー３７，３８と、軸受け部材３５の下側にローラーの一部が突出するように当該軸受け部材３５に軸支された支持用水平軸ローラー３９とから構成されている。尚、上側の垂直軸ローラー３７は、軸受け部材３５の上端から上方にローラー全体が突出し、下側の垂直軸ローラー３８は、軸受け部材３５の下端に形成された切欠き凹部内に遊嵌している。
【００１４】
第二の戸２の平行リンク機構９は、横動体１０の両端のローラーユニット３２，３３と一対の軸受けユニット７，８とを連結する一対の互いに平行なリンク４０，４１によって構成されている。これら各リンク４０，４１の外端は、各軸受けユニット７，８の垂直軸２８の上端に支承され、各リンク４０，４１の内端は、各ローラーユニット３２，３３の垂直軸３６に、当該垂直軸３６の上端の垂直軸ローラー３７と軸受け部材３５との間に挟まれるように支承されている。そして図６に示すように、各リンク４０，４１と軸受け部材３５との間には、横動体１０と戸２とが互いに接近するように各リンク４０，４１を付勢する捩じりコイルバネ４２が、垂直軸３６に遊嵌する状態で介装されている。
【００１５】
第二の戸２の軸受けユニット１１は、戸２の背面側に当該戸１の下端と面一に埋設されたケーシング４３と、図６に示すように、当該ケーシング４３に内嵌された軸受け部材４４に昇降自在に支承され且つバネ４５により上昇方向に付勢された垂直軸４６と、戸２の下端近傍位置で戸２の背面側にローラーの一部が突出するようにケーシング４３に軸支された垂直軸ローラー４７とから構成されている。前記リンク１２は、前記平行リンク機構９の各リンク４０，４１と有効長さが同一で同一方向に傾斜するものであって、前記垂直軸４６の下端に一端が取り付けられ且つ戸２の下端より下側で内側に水平に延出する。そして前記振れ止め用横動体１３は、前記リンク１２の先端上側に軸支された鍔付き垂直軸ローラー４８から構成されている。この鍔付き垂直軸ローラー４８と、前記第一の戸１の振れ止め用横動体６の鍔付き垂直軸ローラー２５とは、同一のものである。
【００１６】
図５に示すように、第一の戸１と第二の戸２とで開閉される開口部３の天板４９は、両戸１，２の上側に被さるように配設され、当該天板４９の下側で第一の戸１の内側に位置するように、第一の戸１を吊り下げる第一ガイドレール５０と、第二の戸２を吊り下げる第二ガイドレール５１とが並列するように配設されている。具体的に説明すると、第一ガイドレール５０は、第二ガイドレール５１と第一の戸１との間に挟まるように、第二ガイドレール５１の外側に一体に連設されている。即ち、第二ガイドレール５１は、下側開放の上側溝形レール部５２と、当該上側溝形レール部５２の真下に位置する上側開放の下側溝形レール部５３とを後側壁板部５４で一体に連設したもので、上側溝形レール部５２の下端レベルで内外両側に水平に張り出す取り付け用張り出し板部５１ａ，５１ｂが連設され、この取り付け用張り出し板部５１ａ，５１ｂにより、上側溝形レール部５２を天板４９に埋没させる状態で当該天板４９の下側に取り付けられ、第一ガイドレール５０は、第二ガイドレール５１との間の隔壁５１ｃの外側に、前記下側溝形レール部５３と同一レベルの上側開放の溝形レール部５５を備え、前記隔壁５１ｃの上端部が前記溝形レール部５５の上方に被さるように外側に屈曲されて、溝形レール部５５の外側縁と略面一の垂直レール面５６が形成されている。
【００１７】
又、図５に示すように、前記開口部３の床板５７は、その底面が第一の戸１及び第二の戸２の下端と略同一レベルに位置するように架設され、当該床板５７の前縁近傍の底面には、振れ止め用下側ガイドレール５８が埋設されている。この振れ止め用下側ガイドレール５８は、下側開放の溝形レール部５９を備えている。
【００１８】
図５に示すように、第一の戸１は、その吊り下げ用ローラーユニット４，５の支持用水平軸ローラー１７が前記第一ガイドレール５０の溝形レール部５５上に載置されると共に、当該戸１の振れ止め用横動体６の鍔付き垂直軸ローラー２５が前記振れ止め用下側ガイドレール５８の溝形レール部５９に嵌合せしめられることにより、当該戸１自身を含む直線状の内側移動経路に沿って垂直姿勢を保って往復移動可能に吊り下げられる。
【００１９】
尚、吊り下げ用ローラーユニット４，５の垂直軸ローラー１８は、前記第一ガイドレール５０の垂直レール面５６に隣接し、後述するようにこの第一の戸１の外側に第二の戸２が重なって、当該第二の戸２から内側に押されたとき、前記垂直軸ローラー１８が前記垂直レール面５６に当接して転動し得るので、係る状態でも第一の戸１を円滑に移動させることが出来る。前記第一ガイドレール５０の垂直レール面５６は、垂直軸ローラー１８の支軸より下側に形成しても良い。
【００２０】
又、第一ガイドレール５０の溝形レール部５５と振れ止め用下側ガイドレール５８との間の間隔に多少のばらつきがあっても、振れ止め用横動体６の鍔付き垂直軸ローラー２５は可動体２３と一体に昇降可能であって、バネ２３の付勢力で上向きに付勢されているので、当該ローラー２５の鍔が溝形レール部５９の両側肩部に当接して、常に溝形レール部５９に一定深さ嵌合した状態を維持し、当該ローラー２５が溝形レール部５９から外れたり、溝形レール部５９の底面に摺接することは無い。
【００２１】
図６に示すように、第二の戸２は、その横動体１０の両端のローラーユニット３２，３３の上下一対の垂直軸ローラー３７，３８が前記第二ガイドレール５１の上下各溝形レール部５２，５３に嵌合されると共に、各ローラーユニット３２，３３の支持用水平軸ローラー３９が下側溝形レール部５３の底面上に載置され、そして当該戸２の振れ止め用横動体１３の鍔付き垂直軸ローラー４８が前記振れ止め用下側ガイドレール５８の溝形レール部５９に嵌合せしめられることにより、第一の戸１が移動する内側移動経路に沿って垂直姿勢を保って往復移動可能に吊り下げられる。
【００２２】
しかして、上記のように吊り下げられた第二の戸２は、平行リンク機構９のリンク４０，４１及び振れ止め用横動体１３を支持するリンク１２の平行水平揺動運動を伴って、横動体１０及び振れ止め用横動体１３に対し内外方向に平行移動可能であり、そして平行リンク機構９のリンク４０，４１を付勢するバネ４２の付勢力により横動体１０に対し内側へ付勢されているので、図１に示すように、第一の戸１と重ならない位置に第二の戸２があるときは、前記バネ４２の付勢力で第二の戸２は、第一の戸１が移動する内側移動経路内に位置し、第一の戸１と互いに突き合う状態になる。このとき、図６に示すように、第二の戸２の上側一対の軸受けユニット７，８の垂直軸ローラー３０が、第一の戸１を吊り下げる第一ガイドレール５０の垂直レール面５６に当接すると共に、下側の軸受けユニット１１の垂直軸ローラー４７が、床板５７の前端面５７ａ（前記振れ止め用下側ガイドレール５８の外側面で形成される場合を含む）に当接することにより、第二の戸２は、第一の戸１が移動する内側移動経路内に正確に位置決めされる。勿論、リンク４０，４１，１２の揺動範囲を規制するストッパーを併設して、第二の戸２を位置決めするように構成することも出来る。
【００２３】
上記のように第一及び第二両戸１，２が同一の内側移動経路内にあって、互いに突き合う状態の閉じ位置にあるとき、図１に示すように、開口部３が当該両戸１，２によって閉じられることになる。図示省略しているが、図１に示す開口部閉じ状態から第一の戸１が第二の戸２から離れる方向に移動するのを、例えば吊り下げ用ローラーユニット４の支持用水平軸ローラー１７に当接して阻止するストッパーや、第二の戸２の横動体１０が第一の戸１から離れる方向に移動するのを、例えば当該横動体１０の軸受け部材３５に当接して阻止するストッパーが併設されている。
【００２４】
又、図１に示すように、開口部３を両戸１，２が閉じているときに互いに突き合っている両戸１，２の突き合い端部１ａ，２ａには、カム手段６０が設けられている。即ち、第二の戸２の突き合い端部２ａが第一の戸１の突き合い端部１ａの外側に重なるように、両戸１，２の突き合い端部１ａ，２ａが横断面楔形に形成され、第二の戸２の軸受けユニット７の垂直軸ローラー３０は、当該第二の戸２の突き合い端部２ａ側にも突出するように構成され、第一の戸１の楔形突き合い端部１ａと垂直ローラー３０とによってカム手段６０が構成されている。しかして、両戸１，２が閉じ位置にある図１に示す状態から第一の戸１を第二の戸２の方へ移動させるか又は、第二の戸２を第一の戸１の方へ移動させたとき、第一の戸１の楔形突き合い端部１ａ上に第二の戸２の楔形突き合い端部２ａが、軸受けユニット７の垂直軸ローラー３０を介して乗り上げることにより、第二の戸２がバネ４２の付勢力に抗して平行リンク機構９及びリンク１２の揺動を伴って外側へ平行移動するように構成されている。
【００２５】
従って、両戸１，２が閉じ位置にある図１に示す状態から第一の戸１を第二の戸２の方へ移動させたときは、当該第一の戸１によって第二の戸２が外側へ押し退けられ、第一の戸１は、外側へ平行移動した第二の戸２の内側を移動することになり、第二の戸２を第一の戸１の方へ移動させたときは、当該第二の戸２が第一の戸１の外側へ乗り上げるように平行移動した状態で第一の戸１の外側、即ち、第一の戸１が移動する内側移動経路と平行な外側移動経路を移動することになる。このとき、図７に示すように、バネ４２の付勢力による第二の戸２の内向き復帰力は、各軸受けユニット７，８，１１の垂直軸ローラー３０，４７が第一の戸１の上下両端部の表面上に当接することにより当該第一の戸１によって受け止められ、当該第一の戸１に作用する第二の戸２からの内向きの押圧力は、各吊り下げ用ローラーユニット４，５の垂直軸ローラー１８が第一ガイドレール５０の垂直レール面５６に当接し且つ振れ止め用横動体６の鍔付き垂直軸ローラー２５が振れ止め用下側ガイドレール５８に嵌合していることにより、天板４９及び床板５７側で受け止められ、第一の戸１及び第二の戸２は、何れも円滑に移動させることが出来る。
【００２６】
上記のように第一の戸１を第二の戸２の内側へ、又は第二の戸２を第一の戸１の外側へ重ねるように移動させて開口部３を開くことが出来るが、このとき、図３Ｂに示すように、共通の振れ止め用下側ガイドレール５８に係合する両戸１，２の振れ止め用横動体６，１３が互いに干渉して両戸１，２が完全に重なる位置まで相対移動するのを妨げることがないように、両戸１，２の移動方向中央部付近に振れ止め用横動体６，１３が配設されている。尚、共通の振れ止め用下側ガイドレール５８に係合する両戸１，２の振れ止め用横動体６，１３は、両戸１，２が互いに重なる位置まで相対移動するのを妨げないように考慮すれば、その位置や個数は限定されない。例えば、各戸１，２の突き合い端部１ａ，２ａとは反対側の後端部と中央部付近との間の領域であれば、複数個の振れ止め用横動体を移動方向に並べて配設することも出来る。
【００２７】
尚、第二の戸２の移動に際しても、振れ止め用横動体１３の鍔付き垂直軸ローラー４８は垂直軸４６と一体に昇降可能であって、バネ４５の付勢力で上向きに付勢されているので、当該ローラー４８の鍔が溝形レール部５９の両側肩部に当接して、常に溝形レール部５９に一定深さ嵌合した状態を維持するので、第二ガイドレール５１の下側溝形レール部５３と振れ止め用下側ガイドレール５８との間の間隔に多少のばらつきがあっても、前記鍔付き垂直軸ローラー４８が溝形レール部５９から外れたり、溝形レール部５９の底面に摺接することは無い。
【００２８】
本発明の構成は上記実施形態のものに限定されない。例えば、第二の戸２を第一の戸１の移動経路、即ち、内側移動経路側へ付勢するバネは、振れ止め用横動体１３のリンク１２と軸受けユニット１１との間にも介装することが出来るし、捩じりコイルバネではなく、引っ張りコイルバネや板バネ等も利用出来る。この他、特許第３０８０３４９号公報に記載されているような各種の変形例を採用することが出来る。
【００２９】
又、図８Ａに示すように、第二の戸２の下端部で第一の戸１との突き合い端部２ａとこれから後方に離れた位置との２箇所、例えば上端部の軸受けユニット７，８の真下位置に、振れ止め用横動体１３Ａ，１３Ｂ（鍔付き垂直軸ローラー４８）を支持するリンク１２Ａ，１２Ｂとその軸受けユニット１１Ａ，１１Ｂとを配設し、突き合い端部２ａに配設された軸受けユニット１１Ａの垂直軸ローラー４７は、当該ローラー４７と第一の戸１の突き合い端部１ａとで、前記カム手段６０と同一のカム手段６０Ｂを構成するように、上端部の軸受けユニット７の垂直軸ローラー３０と同心位置に軸支し、戸１，２の相対接近移動時に第二の戸２を第一の戸１の外側へ移動させるためのカム手段を上下２段（カム手段６０，６０Ｂ）に構成することが出来る。
【００３０】
この場合、第一の戸１の振れ止め用横動体６は、両戸１，２が互いに重なるのを許すように、第二の戸２との突き合い端部１ａとは反対側の後端部に配設すれば良い。又、第一の戸１と第二の戸２とが重なる状態では、第一の戸１が外側へ揺動することは第二の戸２によって防止されるので、図８Ｂに示すように、第一の戸１には、振れ止め用下側ガイドレール５８に係合する振れ止め用横動体６を設けないで、単に開口部３の下側床板５７の前端面５８ａに当接転動する垂直軸ローラー６１を移動方向の１箇所又は複数箇所に設けても良い。例えば、図示例では、第一の戸１の移動方向両端近傍に前記垂直軸ローラー６１を配設しているが、上記実施形態のように、両戸１，２が内側移動経路に於いて互いに突き合っているとき、第一の戸１の前端部（突き合い端部１ａ）の外側に第二の戸２の突き合い端部２ａが被さる構成であれば、第一の戸１の後端部にのみ前記垂直軸ローラー６１を設けても良い。
【００３１】
【発明の効果】
本発明の引き違い戸装置は以上のように実施し且つ使用することができるものであって、係る本発明の引き違い戸装置によれば、内外に平行移動しない第一の戸を吊り下げる第一ガイドレールは、内外に平行移動する第二の戸を平行リンク機構を介して支持する横動体を支持案内する第二ガイドレールの外側に、当該第二ガイドレールと第一の戸との間に挟まれるように一体に連設したので、この引き違い戸装置で開閉される開口部の上側辺には、戸の内側で内外に２本のガイドレールが並列することになり、ガイドレールが開口部内へ大きく垂れ下がる従来のものと比較して、開口部の有効高さを高くと保つことが出来、通行や物品の出し入れも容易になる。しかも本発明の構成によれば、前記第一ガイドレールと第二ガイドレールとの間の隔壁の上端屈曲部がこの第一第二一体ガイドレールの全体の強度を増大させるのに役立つだけでなく、当該上端屈曲部の外側に形成した垂直レール面とこれに当接するように第一の戸に設けた垂直軸ローラーとで、第一の戸の外側に重なる第二の戸から受ける内向きの押圧力を確実にガイドレールに伝達させることが出来、第一及び第二各戸を円滑に移動させることが出来る。
【００３２】
尚、請求項２に記載の構成によれば、平行リンク機構を介して第二の戸を支持する横動体を所定の姿勢で円滑に横動出来る状態に支持することが出来るので、実施形態にも示したように、垂直軸ローラー及び水平軸ローラーを備えた２つのローラーユニットを帯状板で連結した軽量で簡単な構造とすることが出来る。又、平行リンク機構を構成する支軸の一部を前記垂直軸ローラーの支軸で兼用させることが出来るので、この点でも、構造を簡単にすることが出来る。この場合、請求項３に記載の構成によれば、第二ガイドレールが上下相対向する一対の溝形レール部を持つものでありながら、上側の溝形レール部を天板に埋没させる状態で取り付けることが出来、開口部上側のガイドレールの垂れ下がり量を小さくすることが出来る。
【図面の簡単な説明】
【図１】Ａ図は開口部を閉じた状態でのガイドレールを省略した平面図であり、Ｂ図は同横断平面図である。
【図２】開口部を閉じた状態でのガイドレール及び戸自体を省略した正面図である。
【図３】Ａ図は開口部を開いた状態でのガイドレールを省略した平面図であり、Ｂ図は同横断平面図である。
【図４】第二の戸の横動体及び平行リンク機構の一部を示す正面図である。
【図５】第一の戸とその支持構造を示す一部切欠き縦断側面図である。
【図６】第二の戸とその支持構造を示す一部切欠き縦断側面図である。
【図７】第一の戸と第二の戸とが内外に重なった状態での各戸とその支持構造を示す一部切欠き縦断側面図である。
【図８】Ａ図は、別の実施形態を示すもので、開口部を閉じた状態でのガイドレールを省略した横断平面図であり、Ｂ図は、更に別の実施形態を示すもので、開口部を閉じた状態でのガイドレールを省略した横断平面図である。
【符号の説明】
１    第一の戸
１ａ    第一の戸の楔形突き合い端部（カム手段）
２    第二の戸
２ａ    第二の戸の楔形突き合い端部
３    開口部
４，５    吊り下げ用ローラーユニット
６    振れ止め用横動体
７，８    軸受けユニット
９    平行リンク機構
１０    横動体
１１    軸受けユニット
１２    リンク
１３    振れ止め用横動体
１７    支持用水平軸ローラー
１８    垂直軸ローラー
２５    鍔付き垂直軸ローラー
３０    垂直軸ローラー（カム手段）
３７，３８    垂直軸ローラー
３９    支持用水平軸ローラー
４０，４１    リンク
４２    捩じりコイルバネ
４７    垂直軸ローラー
４８    鍔付き垂直軸ローラー
４９    天板
５０    第一ガイドレール
５１    第二ガイドレール
５１ａ，５１ｂ    取り付け用張り出し板部
５１ｃ    第一ガイドレールと第二ガイドレールとの間の隔壁
５２    第一ガイドレールの上側溝形レール部
５３    第一ガイドレールの下側溝形レール部
５４    後側壁板部
５５    第二ガイドレールの溝形レール部
５６    垂直レール面
５７    床板
５８    振れ止め用下側ガイドレール
６０，６０Ｂ    カム手段
【図１】
0003594239.tif 000002
【図２】
0003594239.tif 000003
【図３】
0003594239.tif 000004
【図４】
0003594239.tif 000005
【図５】
0003594239.tif 000006
【図６】
0003594239.tif 000007
【図７】
0003594239.tif 000008
【図８】
0003594239.tif 000009